(57)【要約】【課題】ペン体或いは筆記具の軸筒の寸法にバラツキがある場合でも、外観に不具合を生じさせることのないペン体取付け構造を具備した筆記具に関する。【解決手段】軸筒３先端の開口部内に設けたペン体取付部８にペン体２を圧入嵌合した筆記具１であって、前記ペン体２が、ストレート状の大径部４と前記大径部４の後方に形成されるテーパ部５と、前記テーパ部の後方に形成されるストレート状の小径部６とを備え、前記小径部６を前記軸筒３のペン体取付部８に圧入嵌合したとき、前記大径部４を前記軸筒３の先端より前方に突出させ、前記テーパ部５を前記軸筒３先端部近傍に位置させてなることを特徴とする筆記具１【選択図】  図５
2012228780.tif 000002
【特許請求の範囲】
【請求項１】
軸筒先端の開口部内に設けたペン体取付部にペン体を圧入嵌合した筆記具であって、
前記ペン体が、ストレート状の大径部と、前記大径部の後方に形成されるテーパ部と、前記テーパ部の後方に形成されるストレート状の小径部とを備え、
前記小径部を前記軸筒のペン体取付部に圧入嵌合したとき、前記大径部を前記軸筒の先端より前方に突出させ、
前記テーパ部を前記軸筒先端部近傍に位置させてなることを特徴とする筆記具。
【請求項２】
前記ペン体が繊維束の樹脂加工体であることを特徴とする請求項１に記載の筆記具。
【請求項３】
前記テーパ部の角度αが４５度以下であることを特徴とする請求項１に記載の筆記具。
【請求項４】
内蔵されたインキが熱変色性インキであることを特徴とする請求項１に記載の筆記具。
【発明の詳細な説明】
【技術分野】
【０００１】
本発明は、筆記具に関する。詳細には、ペン体或いは筆記具の軸筒の寸法にバラツキがある場合でも、外観に不具合を生じさせることのないペン体取付け構造を具備した筆記具に関する。
【背景技術】
【０００２】
従来、特許文献１には、ペン体に設けた段部を軸筒の開口部先端と略同位置に配置したペン体取付構造が開示されている。
【先行技術文献】
【特許文献】
【０００３】
【特許文献１】特開平６−０９２０８３号公報
【発明の概要】
【発明が解決しようとする課題】
【０００４】
前記特許文献１に記載の筆記具は、ペン体に設けた段部が軸筒の開口部先端と略同位置に配置されている。
一般に汎用の筆記具において軸筒、キャップ、尾栓等の部品は合成樹脂の射出成形或いは押し出し成形等によって生産される。又、ペン体は繊維の収束体を樹脂加工した棒状体或いは合成樹脂を押し出し成形した棒状体を適宜長さに切断したものを所望形状に研削して得られる。
合成樹脂の成形によって得られた前記筆記具用部品は成形条件によって成形金型のキャビティー間に、ある程度の寸法バラツキの発生を避けることはできない。又。ペン体においても作業条件の変化、切断機・研削機の動作ムラ等により寸法バラツキが発生する。
【０００５】
前記従来の筆記具において、軸筒にペン体を取付ける際、両者の長手寸法が規格値の中心である場合は、組立てられた筆記具の外観は良好である。しかしながら、軸筒前方内部のチップ取付部分の長手寸法が規格値より小さい場合やペン体の段部から後端部までの長さが規格値より大きい場合には、前記軸筒前部開口端とチップの段部が離隔してしまい、あたかもペン体が挿入不足であるかの様な外観を呈するという不具合があった。
【０００６】
本発明は、前記従来の問題点を解決するものであり、たとえ筆記具部品やペン体に寸法ばらつきが生じても、組立てられた筆記具があたかも不良品であるかのような外観を呈することの無い筆記具を提供しようとするものである。
尚、本発明において、「前」とはペン先側を指し、「後」とはその反対側を指す。
【課題を解決するための手段】
【０００７】
本発明は、軸筒３先端の開口部内に設けたペン体取付部８にペン体２を圧入嵌合した筆記具１であって、前記ペン体２が、ストレート状の大径部４と、前記大径部４の後方に形成されるテーパ部５と、前記テーパ部５の後方に形成されるストレート状の小径部６とを備え、前記小径部６を前記軸筒のペン体取付部８に圧入嵌合したとき、前記大径部４を前記軸筒３の先端より前方に突出させ、前記テーパ部５を前記軸筒３先端部近傍に位置させた筆記具１を要件とする。
又、前記ペン体２が繊維束の樹脂加工体であること、前記テーパ部５の角度αが４５度以下であること、内蔵されたインキが熱変色性インキであること等を要件とする。
【発明の効果】
【０００８】
本発明は上記構成とすることにより、成形部品やペン体の寸法にバラツキがあったとしても、製造後の外観があたかも組み立て不良の様相を呈することのない筆記具を提供できる。
【図面の簡単な説明】
【０００９】
【図１】本発明の実施例のペン体の正面図である。
【図２】本発明の比較例のペン体の正面図である。
【図３】本発明の実施例において成形部品及びペン体の長手寸法が規格値の中心であるときの組み付け後筆記具の部分断面図である。
【図４】本発明の比較例において成形部品及びペン体の長手寸法が規格値の中心であるときの組み付け後筆記具の部分断面図である。
【図５】本発明の実施例において成形部品及び／又はペン体の寸法（軸方向の長さ）が規格値の中心からはずれたときの組み付け後の筆記具の部分断面図である。
【図６】本発明の比較例において成形部品及び／又はペン体の寸法（軸方向の長さ）が規格値の中心からはずれたときの組み付け後の筆記具の部分断面図である。
【発明を実施するための形態】
【００１０】
本発明の筆記具はペン体を軸筒先端開口部内に設けたペン体取付部に圧入嵌合した筆記具である。
前記ペン体は繊維束を樹脂加工した繊維ペン体或いは合成樹脂の押し出し成形により得られるプラスチックペン体が好適に用いられる。
前記繊維ペンはポリエステル繊維、アクリル繊維、ポリプロピレン繊維等を所望の太さに揃えた繊維束を、樹脂で結着することにより得られた繊維束棒状体を適宜長さに切断し、砥石で研削して外形を形成する。
前記プラスチックペン体はポリアセタール等の熱可塑性樹脂を内部にインキ流通孔を形成しながら押し出し成形して得られたプラスチック棒状体を適宜長さに切断し、砥石で研削して外形を形成する。
本発明のペン体は前方に大径部を有し、前記大径部の後方にテーパ部を設け、更に前記テーパ部の後方に小径部が設けられている。
【００１１】
前記軸筒はポリプロピレン、ポリエチレン等の樹脂の射出成形、押出し成形等により得られる。前記軸筒は先端開口部内にペン体取付部を備えてなる。
【００１２】
本発明の筆記具１に内蔵されるインキとしては、水性インキ又は油性インキのいずれであってもよい。また、前記インキ中に含まれる着色剤としては、酸性染料、塩基性染料、直接染料、一般顔料、蛍光顔料、アルミニウム等の金属粉、パール顔料、酸化チタン等の白色顔料が挙げられる。
又、熱変色性インキを適用することもできる。前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【実施例】
【００１３】
図１に実施例のペン体２を示す。本実施例において前記ペン体２はポリエステル繊維の収束体をバインダー樹脂で結着したものである。前記ペン体２は前方にストレート状の大径部４を設け、前記大径部４の後方にテーパ部５を備え、更に前記テーパ部５の後方に小径部６を備えてなる。
【００１４】
図２に比較例のペン体２を示す。本比較例のペン体２も実施例と同様ポリエステル繊維の収束体をバインダー樹脂で結着したものである。前記ペン体２は前方にストレート状の大径部４を設け、前記大径部４の後方に小径部６を備えており、前記大径部４と前記小径部６の間には垂直面状段部７が設けられている。
【００１５】
図３に、実施例において適正寸法（規格中心値）で加工されたペン体２と適正寸法（規格中心値）で成形された軸筒３の組立図（一部断面図）を示す。図４に、比較例において規格寸法で加工されたペン体２と規格寸法で成形された軸筒３の組立図（一部断面図）を示す。各図に示されたとおり、それぞれのチップ大径部４は軸筒３の先端部から離隔しておらず、良好な外観を呈している。
【００１６】
図５に実施例において成形部品及び／又はペン２体の寸法（軸方向の長さ）が規格値の中心からはずれたときの組立図（一部断面図）を示す。前記ペン体２の小径部の軸方向長さが規格値より大きいとき、或いは軸筒３のペン体取付部８の軸方向長さが規格値より小さいとき、又はその両者が組み合わされたときにこの図のような外観を呈することとなる。
本実施例ではペン体２の大径部４の後方にテーパ部５が配置されているため、ペン体２の大径部４と軸筒３の先端部の離隔状態が明確には視認されず、組み立て不良のような様相を呈することはない。
ここでテーパ部５の成す角度αは４５度以下であることが好ましい。前記テーパ部５の角度が小さいほどテーパ部の縮径度合いは緩くなるため、更に離隔状態が視認されにくくなる。
【００１７】
図６に比較例において成形部品及び／又はペン体２の寸法（軸方向の長さ）が規格値の中心からはずれたときの組立図（一部断面図）を示す。前記ペン体２の小径部の軸方向長さが規格値より大きいとき、或いは軸筒３のペン体取付部８の軸方向長さが規格値より小さいとき、又はその両者が組み合わされたときにこの図のような外観を呈することとなる。
本比較例ではペン体２の大径部４の後方に段部７が配置されているため、ペン体２の大径部４と軸筒３の先端部の離隔状態が明確に視認され、あたかも組み立て不良のような様相を呈している。
【符号の説明】
【００１８】
１  筆記具
２  ペン体
３  軸筒
４  大径部
５  テーパ部
６  小径部
７  段部
８  ペン体取付部
【図１】
2012228780.tif 000003
【図２】
2012228780.tif 000004
【図３】
2012228780.tif 000005
【図４】
2012228780.tif 000006
【図５】
2012228780.tif 000007
【図６】
2012228780.tif 000008